(57)【要約】【課題】  スプリンクラーヘッドが設置される二次側配管内が負圧であり、二次側配管に接続されるノズルを有する本体が天井内に埋め込まれて設置されており、リングにピンを介して接続されているデフレクターが、本体と接続しているフレーム内に収納され、リングをデフレクター側へ押圧するバネが設けられ、作動時にはリングがフレーム下端の段部に係止されデフレクターが移動して天井面より突出する構造のフラッシュ型スプリンクラーヘッドにおいて、散水性能に悪影響を与えずに作動時には弁体をノズル端から引き離すことが可能なフラッシュ型スプリンクラーヘッドを提供する。【解決手段】  リングが落下する際に弁体または弁体とノズル端の間に介在される水密部材をノズル端より引き離すことが可能な誘導手段として、水密部材の外周から延出された係止部が形成されていることや、または弁体と水密部材を固着させる。【選択図】    図１
2008125656.tif 000002
【特許請求の範囲】
【請求項１】
スプリンクラーヘッドが設置される二次側配管内が負圧であり、二次側配管に接続されるノズルを有する本体が天井内に埋め込まれて設置されており、リングにピンを介して接続されているデフレクターが、本体と接続しているフレーム内に収納され、リングをデフレクター側へ押圧するバネが設けられ、作動時にはリングがフレーム下端の段部に係止されデフレクターが移動して天井面より突出する構造のフラッシュ型スプリンクラーヘッドにおいて、リングが落下する際に弁体または弁体とノズル端の間に介在される水密部材をノズル端より引き離すことが可能な誘導手段を設けたことを特徴とするフラッシュ型スプリンクラーヘッド。
【請求項２】
前記フラッシュ型スプリンクラーヘッドにおいて、誘導手段として水密部材の外周から延出された係止部が形成されていることを特徴とする請求項１記載のスプリンクラーヘッド。
【請求項３】
前記フラッシュ型スプリンクラーヘッドにおいて、誘導手段として弁体と水密部材を固着させていることを特徴とする請求項１記載のスプリンクラーヘッド。
【請求項４】
前記フラッシュ型スプリンクラーヘッドにおいて、誘導手段として水密部材はリングが落下する際にリングに係止されて落下し、リングが所定の位置に達した際に放出され外部に落下することを特徴とする請求項１記載のスプリンクラーヘッド。
【発明の詳細な説明】
【技術分野】
【０００１】
本発明は、消火用のスプリンクラーヘッドであり、特にフラッシュ型スプリンクラーヘッドに関するものである。
【背景技術】
【０００２】
フラッシュ型スプリンクラーヘッドは、給水配管に接続される本体が天井内に設置され、室内からはスプリンクラーヘッドの先端部分のみが突出した状態で設置されることから意匠性に優れており、事務所ビルやショッピングセンター、ホテル等、多くの建物に設置されている。
【０００３】
フラッシュ型スプリンクラーヘッドは、常時、感熱分解部分により支持されている弁体によってノズルが閉塞されており、火災時に感熱分解部分が作動・落下してノズルを閉止している弁体が開放される。弁体が開放されるとノズルより水が放出され、弁体と一体構成となったデフレクターが室内側に突出され、ノズルより放出された水をデフレクターに衝突させることで四方に水を散布させ消火を行うものである。
【０００４】
上記のデフレクターは、デフレクターに穿設された穴にピンが通されており、ピンに沿って摺動可能な構成となっている。デフレクターはピンの下端に設けられた段部に係止されて吊設される構造となっており、ピンの上部はリングと接続されている。デフレクターおよびリングは常時において本体と接続されている円筒状のフレーム内部に収納されており、デフレクターと一体に構成された弁体がノズル下端を押圧してノズルを閉塞している。このときデフレクターはリングに近い位置にある。また、リングと本体の間にはバネが介在されており、常にリングをデフレクター側に押圧している。
【０００５】
スプリンクラーヘッドの作動時には、弁体を押圧していた感熱分解部分が落下してしまうので弁体及びデフレクターが落下する。デフレクターと接続しているピンおよびリングもバネによって勢いよくフレーム内を落下するが、リングの外周部がフレーム下端の段部に係止され、デフレクターはピンによって吊るされた状態となり、ノズルより放出された水が衝突して水を四方に飛散させる。
【０００６】
一方、スプリンクラー設備において、スプリンクラーヘッドが設置されている二次側配管内を負圧にした真空スプリンクラー設備がある。該設備に設置されるスプリンクラーヘッドは、スプリンクラーヘッドが作動してもノズル内が負圧であることから弁体がノズル側に吸引されており、ノズルから弁体を離すためにノズルと弁体の間にバネを介在させたものがある（例えば、特許文献１参照。）。
【０００７】
【特許文献１】特開平１１−２０６９０８号公報
【発明の開示】
【発明が解決しようとする課題】
【０００８】
特許文献１に記載のスプリンクラーヘッドは、フレーム型スプリンクラーヘッドであり、デフレクターはノズルより延出したアームの先端に設置されており、弁体を支持する感熱分解部分はノズルとデフレクターの間に設置されている。作動時において、弁体およびバネはスプリンクラーヘッドの外部へ放出され落下する。
【０００９】
対して、フラッシュ型スプリンクラーヘッドは、弁体とデフレクターが一体に構成されており、作動時にデフレクターが落下して吊設される構造である。ゆえに弁体と本体の間にバネを介在させると、弁体上にバネが残留したり、ピンにバネが引っかかってしまう可能性があり、このバネによって水流に悪影響を与え、消火性能が十分に発揮できないおそれがある。
【００１０】
また、弁体とノズル端との間には水密部材としてパッキンが介在されており、ノズル内が負圧の場合において作動した際に弁体及びデフレクターは落下するが、パッキンが落下せずにノズル端に吸引された状態で残ってしまうおそれがある。
【００１１】
そこで本発明では、上記問題に鑑み、フラッシュ型スプリンクラーヘッドにおいて、散水性能に悪影響を与えずに作動時には弁体あるいは水密部材をノズル端から引き離すことが可能なフラッシュ型スプリンクラーヘッドを提供することを目的としている。
【課題を解決するための手段】
【００１２】
上記の目的を達成するために、請求項１記載の発明は、スプリンクラーヘッドが設置される二次側配管内が負圧であり、二次側配管に接続されるノズルを有する本体が天井内に埋め込まれて設置されており、リングにピンを介して接続されているデフレクターが、本体と接続しているフレーム内に収納され、リングをデフレクター側へ押圧するバネが設けられ、作動時にはリングがフレーム下端の段部に係止されデフレクターが移動して天井面より突出する構造のフラッシュ型スプリンクラーヘッドにおいて、リングが落下する際に弁体または弁体とノズル端の間に介在される水密部材をノズル端より引き離すことが可能な誘導手段を設けたフラッシュ型スプリンクラーヘッドである。
【００１３】
請求項２記載の発明は、前記フラッシュ型スプリンクラーヘッドにおいて、誘導手段として水密部材の外周から延出された係止部が形成されている請求項１記載のスプリンクラーヘッドである。
【００１４】
請求項３記載の発明は、前記フラッシュ型スプリンクラーヘッドにおいて、誘導手段として弁体と水密部材を固着させている請求項１記載のスプリンクラーヘッドである。
【００１５】
請求項４記載の発明は、前記フラッシュ型スプリンクラーヘッドにおいて、誘導手段として水密部材はリングが落下する際にリングに係止されて落下し、リングが所定の位置に達した際に放出され外部に落下する請求項１記載のスプリンクラーヘッドである。
【発明の効果】
【００１６】
本発明によれば、ノズル内が負圧状態であってもスプリンクラーヘッドの作動時には確実にパッキンをノズル端から引き離すことができ、それにより二次側配管内が増圧されて消火水がスプリンクラーヘッドから室内へ散布することができるものである。
【発明を実施するための最良の形態】
【００１７】
前記誘導手段として、水密部材がガイドリングと共に落下するように水密部材に係止部を設けたり、弁体と水密部材を接着剤や溶接等によって固着することも可能である。あるいは、スプリンクラーヘッドの作動時に水密部材をスプリンクラーヘッドの外部に放出してもよい。
【実施例１】
【００１８】
以下、この発明の実施例１を図１から図４を参照して説明する。図１は実施例１のスプリンクラーヘッドの断面図、図２はパッキンの平面図、図３は図１のスプリンクラーヘッドが作動したときの状態、図４は図１のスプリンクラーヘッドの散水時の状態である。
【００１９】
図１に示す実施例１のスプリンクラーヘッドは、本体１、フレーム２、弁体３、デフレクター４、感熱分解部分５等から構成される。
【００２０】
本体１は、中央にノズル７が穿設されており、その下端は弁座８となっていて、外周上部は牡ネジ９が螺設され、下端にはフランジ１０が形成されている。
【００２１】
フレーム２は、円筒状であり、上端は前述本体１のフランジ１０に螺合している。下端には内周側に段部１２が形成されている。
【００２２】
弁体３は、上部にパッキン１３が被着されており、平時、本体１の弁座８を閉塞している。パッキン１３は弁体３の移動に追従されるように弁体３の外周縁よりも延出して形成された係止部１３Ａが複数設けられている（図２参照）。
【００２３】
デフレクター４は前述弁体３の下部に固定設置されている。デフレクター４は、皿状で周囲に多数の羽根が形成されており、羽根の上にはリング１４が載置されていて、複数のピン１５を介してリング１４と接続されている。
【００２４】
デフレクター４はピン１５に沿って摺動可能であり、平時においてデフレクター４はフレーム２内に収容され、リング１４に近接した位置にある。スプリンクラーヘッド作動時、デフレクター４はピン１５に沿って落下し、フレーム２の段部１２に係止されたリング１４で吊設されるようになっている。リング１４と本体１のフランジ１０の間にはコイルスプリング１４Ａが設置されており、リング１４を下方へ付勢している。
【００２５】
感熱分解部分５は、フレーム２の段部１２に係止されており、ガイドポスト１６を介して弁体３を保持している。感熱分解部分５の詳細な構造については、既に公知であり特開平７−２８４５４５号公報に記載されていることから説明は省略する。
【００２６】
続いて、実施例１のスプリンクラーヘッドの作動について説明する。
【００２７】
実施例１のスプリンクラーヘッドの本体１は牡ネジ９によって天井内の配管に接続され、配管内は充水されているが圧力は負圧となっている。火災が発生すると、弁体３を保持していた感熱分解部分５が分解作動して落下する。感熱分解部分５が落下したことで弁体３はリング１４を付勢するコイルスプリング１４Ａの力によってリング１４およびデフレクター４と共に落下する。
【００２８】
リング１４が落下する際、リング１４の内周縁がパッキン１３の係止部１３Ａを係止した状態で落下するため、リング１４の落下と共にパッキン１３も落下し、パッキン１３が弁座８から引き離される（図３参照）。リング１４はフレーム２の段部に係止され、弁体３およびデフレクター４はピン１５に沿ってさらに落下する。
【００２９】
図４に示すようにデフレクター４がピン１５の下端まで落下した状態でノズルより放出される消火水を衝突させ、四方に飛散させることで火災が抑制・消火される。
【００３０】
上記の実施例１において、弁体３とパッキン１３が一緒に落下するように接着剤等で固着させておくことも可能である。
【実施例２】
【００３１】
次に実施例２について図５から図７を参照して説明する。図５は実施例２のスプリンクラーヘッドの断面図、図６は図５のスプリンクラーヘッドが作動したときの状態、図７は図５のスプリンクラーヘッドの散水時の状態である。
【００３２】
実施例２の構造は実施例１と殆ど同じであるので、構造が同じ部分に関しては同符号を付して説明は省略する。実施例２のスプリンクラーヘッドは、パッキン１３の一部をリング１４に係止させておき、作動時においてパッキン１３をスプリンクラーヘッドの外部に放出可能な構造としたものである。
【００３３】
図５に示す実施例２のスプリンクラーヘッドのパッキン２３には、外周の一部から延出してリング２４との係止部２３Ａが設けられている。係止部２３Ａはデフレクター４の上面に沿って外周方向に延出され、途中から折り返されて湾曲部２３Ｂが形成され、さらにリング２４の内周面を通り、先端２３Ｃがリング１４の上面に接触される形状となっている。
【００３４】
作動時において、感熱分解部分５が分解作動すると弁体３の保持が解除されることから、ガイドリング１４を付勢するコイルスプリング１４Ａの力によりガイドリング１４、弁体３、デフレクター４は下方に落下する。その際、パッキン２３の湾曲部２３Ｂがガイドリング１４の下面に係止されパッキン２３も落下し、弁座８から引き離される。
【００３５】
図６に示すようにガイドリング１４がフレーム２の段部１２に係止されると、パッキン２３はノズル７から放出される消火水の流れの勢いによって係止部２３Ａを支点として回転し、該回転動作により径止部２３Ａがガイドリング１４の内周面から外れ、パッキン２３はスプリンクラーヘッドの外部に放出される。ノズル７から連続して放出される消火水がデフレクター４に衝突して消火水が四方に飛散されて火災の消火を行う。
【図面の簡単な説明】
【００３６】
【図１】実施例１のスプリンクラーヘッドの断面図
【図２】パッキンの平面図
【図３】図１のスプリンクラーヘッドが作動したときの状態
【図４】図１のスプリンクラーヘッドの散水時の状態
【図５】実施例２のスプリンクラーヘッドの断面図
【図６】図５のスプリンクラーヘッドが作動したときの状態
【図７】図５のスプリンクラーヘッドの散水時の状態
【符号の説明】
【００３７】
１  本体  
２  フレーム  
３  弁体  
４  デフレクター  
５  感熱分解部分  
７  ノズル  
８  弁座  
１０  フランジ  
１２  段部  
１３  パッキン  
１４  リング  
１４Ａ  コイルスプリング  
１５  ピン
【図１】
2008125656.tif 000003
【図２】
2008125656.tif 000004
【図３】
2008125656.tif 000005
【図４】
2008125656.tif 000006
【図５】
2008125656.tif 000007
【図６】
2008125656.tif 000008
【図７】
2008125656.tif 000009